(57)【要約】【課題】シンプルな印でありながら、多様なフラワーアレンジメントのデザインに対応することができるフラワーアレンジメント用保持ブロックを提供すること。【解決手段】本発明のフラワーアレンジメント用保持ブロックは、装飾材を配置保持し、装飾材を配置保持する配置面２０に、少なくとも第１のライン３１と第２のライン３２を有し、第１のライン３１と第２のライン３２とを交叉させることで装飾物中心ポイント４１を形成することを特徴とする。【選択図】図１
2019193737.tif 000002
【特許請求の範囲】
【請求項１】
装飾材を配置保持するフラワーアレンジメント用保持ブロックであって、
前記装飾材を配置保持する配置面に、少なくとも第１のラインと第２のラインを有し、
前記第１のラインと前記第２のラインとを交叉させることで装飾物中心ポイントを形成する
ことを特徴とするフラワーアレンジメント用保持ブロック。
【請求項２】
前記配置面に更に第３のラインを有し、
前記第３のラインによって、円形や多角形などの図形を形成し、
前記図形の中心を、前記装飾物中心ポイントに一致させる
ことを特徴とする請求項１に記載のフラワーアレンジメント用保持ブロック。
【請求項３】
前記装飾物中心ポイントを、前記配置面の中心とする
ことを特徴とする請求項１又は請求項２に記載のフラワーアレンジメント用保持ブロック。
【請求項４】
前記装飾物中心ポイントを、前記装飾材の配置によるデザイン中心とする
ことを特徴とする請求項１から請求項３のいずれか１項に記載のフラワーアレンジメント用保持ブロック。
【請求項５】
前記第１のラインと前記第２のラインとを直交させる
ことを特徴とする請求項１から請求項４のいずれか１項に記載のフラワーアレンジメント用保持ブロック。
【請求項６】
前記第１のライン及び前記第２のラインを凹凸形状によって形成する
ことを特徴とする請求項１に記載のフラワーアレンジメント用保持ブロック。
【請求項７】
前記第１のライン、前記第２のライン、及び前記第３のラインを凹凸形状によって形成する
ことを特徴とする請求項２に記載のフラワーアレンジメント用保持ブロック。
【請求項８】
前記第１のライン及び前記第２のラインを着色によって形成する
ことを特徴とする請求項１に記載のフラワーアレンジメント用保持ブロック。
【請求項９】
前記第１のライン、前記第２のライン、及び前記第３のラインを着色によって形成する
ことを特徴とする請求項２に記載のフラワーアレンジメント用保持ブロック。
【請求項１０】
前記配置面の少なくとも一部を覆う被覆材を有し、
前記被覆材によって前記第１のライン及び前記第２のラインを形成する
ことを特徴とする請求項１に記載のフラワーアレンジメント用保持ブロック。
【請求項１１】
シリコーン粘土材で形成する
ことを特徴とする請求項１から請求項１０のいずれか１項に記載のフラワーアレンジメント用保持ブロック。
【請求項１２】
請求項６又は請求項７に記載のフラワーアレンジメント用保持ブロックを作る保持ブロック製作器であって、
前記配置面に当接させるライン形成面に、前記凹凸形状を形成する凹凸部を有する
ことを特徴とする保持ブロック製作器。
【請求項１３】
請求項８又は請求項９に記載のフラワーアレンジメント用保持ブロックを作る保持ブロック製作器であって、
前記配置面に当接させるライン形成面に、前記着色を行えるスタンプ面を有する
ことを特徴とする保持ブロック製作器。
【請求項１４】
請求項６から請求項９のいずれか１項に記載のフラワーアレンジメント用保持ブロックを作る保持ブロック製作器であって、
前記配置面に当接させるライン形成面に、凹凸形状を形成し又は着色を行えるスリットを有する
ことを特徴とする保持ブロック製作器。
【発明の詳細な説明】
【技術分野】
【０００１】
本発明は、装飾材を配置保持するフラワーアレンジメント用保持ブロック、及びこの保持ブロックを作る保持ブロック製作器に関する。
【背景技術】
【０００２】
花育や園芸療法などの活動を通して、子供から高齢者まで様々な年齢層の消費者がフラワーアレンジメントを楽しむ機会が増えているが、学校や施設において、集団を対象に本格的なフラワーアレンジメントの制作を指導するのは非常に難しい。初心者の集団を対象にフラワーアレンジメントを指導するための実施方法と、安価な保持ブロックがあれば、フラワーアレンジメントを行なう裾野が飛躍的に拡大し、幅広い消費者層に花を使った余暇活動を提供することが可能となる。
フラワーアレンジメントには、ラウンド型、ダイヤ型、キャスケード型などの基本形が存在する。本来、フラワーアレンジメントは専門のスクールに通い、熟練者の指導の元に技術を習得するものである。スクールに通わず在宅にてフラワーアレンジメントの基本形製作を可能にする保持ブロックがこれまでにも提案されており（特許文献１から特許文献３）、出願人らも花材を挿す吸水スポンジに印をつけた保持ブロックとそれに伴う実施方法を提案している（特許文献４）。
【先行技術文献】
【特許文献】
【０００３】
【特許文献１】特開２００１−７５４６７号公報
【特許文献２】特開２０１４−１００４４８号公報
【特許文献３】特開２０１７−５１１１９号公報
【特許文献４】特許第５２０１５５２号公報
【発明の概要】
【発明が解決しようとする課題】
【０００４】
特許文献１から特許文献４では、保持ブロック上に直接印を付け、花材を挿す位置を利用者にわかりやすく示しており、非常に有効な手法であるが、フラワーアレンジメントのデザインによってブロックの形状や印の位置を変える必要があり、加工が多様となるために機械化が難しい。現在市販されている保持ブロックは手作業で加工が行われており、製品単価を押し上げている。
【０００５】
そこで本発明は、シンプルな印でありながら、多様なフラワーアレンジメントのデザインに対応することができるフラワーアレンジメント用保持ブロックを提供することを目的とする。
【課題を解決するための手段】
【０００６】
請求項１記載の本発明のフラワーアレンジメント用保持ブロックは、装飾材を配置保持するフラワーアレンジメント用保持ブロック１０であって、前記装飾材を配置保持する配置面２０に、少なくとも第１のライン３１と第２のライン３２を有し、前記第１のライン３１と前記第２のライン３２とを交叉させることで装飾物中心ポイント４１を形成することを特徴とする。
請求項２記載の本発明は、請求項１に記載のフラワーアレンジメント用保持ブロックにおいて、前記配置面２０に更に第３のライン３３を有し、前記第３のライン３３によって、円形や多角形などの図形を形成し、前記図形の中心を、前記装飾物中心ポイント４１に一致させることを特徴とする。
請求項３記載の本発明は、請求項１又は請求項２に記載のフラワーアレンジメント用保持ブロックにおいて、前記装飾物中心ポイント４１を、前記配置面２０の中心とすることを特徴とする。
請求項４記載の本発明は、請求項１から請求項３のいずれか１項に記載のフラワーアレンジメント用保持ブロックにおいて、前記装飾物中心ポイント４１を、前記装飾材の配置によるデザイン中心とすることを特徴とする。
請求項５記載の本発明は、請求項１から請求項４のいずれか１項に記載のフラワーアレンジメント用保持ブロックにおいて、前記第１のライン３１と前記第２のライン３２とを直交させることを特徴とする。
請求項６記載の本発明は、請求項１に記載のフラワーアレンジメント用保持ブロックにおいて、前記第１のライン３１及び前記第２のライン３２を凹凸形状によって形成することを特徴とする。
請求項７記載の本発明は、請求項２に記載のフラワーアレンジメント用保持ブロックにおいて、前記第１のライン３１、前記第２のライン３２、及び前記第３のライン３３を凹凸形状によって形成することを特徴とする。
請求項８記載の本発明は、請求項１に記載のフラワーアレンジメント用保持ブロックにおいて、前記第１のライン３１及び前記第２のライン３２を着色によって形成する
ことを特徴とする。
請求項９記載の本発明は、請求項２に記載のフラワーアレンジメント用保持ブロックにおいて、前記第１のライン３１、前記第２のライン３２、及び前記第３のライン３３を着色によって形成することを特徴とする。
請求項１０記載の本発明は、請求項１に記載のフラワーアレンジメント用保持ブロックにおいて、前記配置面２０の少なくとも一部を覆う被覆材を有し、前記被覆材によって前記第１のライン３１及び前記第２のライン３２を形成することを特徴とする。
請求項１１記載の本発明は、請求項１から請求項１０のいずれか１項に記載のフラワーアレンジメント用保持ブロックにおいて、シリコーン粘土材で形成することを特徴とする。
請求項１２記載の本発明の保持ブロック製作器は、請求項６又は請求項７に記載のフラワーアレンジメント用保持ブロック１０を作る保持ブロック製作器５０であって、前記配置面２０に当接させるライン形成面５１に、前記凹凸形状を形成する凹凸部５２を有することを特徴とする。
請求項１３記載の本発明の保持ブロック製作器は、請求項８又は請求項９に記載のフラワーアレンジメント用保持ブロック１０を作る保持ブロック製作器５０であって、前記配置面２０に当接させるライン形成面５１に、前記着色を行えるスタンプ面を有することを特徴とする。
請求項１４記載の本発明の保持ブロック製作器は、請求項６から請求項９のいずれか１項に記載のフラワーアレンジメント用保持ブロック１０を作る保持ブロック製作器５０であって、前記配置面２０に当接させるライン形成面５１に、凹凸形状を形成し又は着色を行えるスリット５３を有することを特徴とする。
【発明の効果】
【０００７】
本発明によれば、２つのラインの形成によるために加工が容易となり、２つのラインの形成によって装飾物中心ポイントを認識できるとともに、装飾物中心ポイントに対する対称エリアや対称位置を認識できるため、初心者用デザインから上級者用デザインまで多様なフラワーアレンジメントのデザインに対応できる。
【図面の簡単な説明】
【０００８】
【図１】本発明の一実施例によるフラワーアレンジメント用保持ブロックを示す斜視図
【図２】本発明の他の実施例によるフラワーアレンジメント用保持ブロックを示す平面図
【図３】本発明の更に他の実施例によるフラワーアレンジメント用保持ブロックを示す写真
【図４】本発明の更に他の実施例によるフラワーアレンジメント用保持ブロックを示す平面図
【図５】本発明の一実施例による保持ブロック製作器を示す構成図
【図６】本発明の他の実施例による保持ブロック製作器を示す構成図
【図７】図３（ａ）に示すフラワーアレンジメント用保持ブロックを用いた場合のフラワーアレンジメントの工程を示す図
【発明を実施するための形態】
【０００９】
本発明の第１の実施の形態によるフラワーアレンジメント用保持ブロックは、装飾材を配置保持する配置面に、少なくとも第１のラインと第２のラインを有し、第１のラインと第２のラインとを交叉させることで装飾物中心ポイントを形成するものである。本実施の形態によれば、２つのラインの形成によるために加工が容易となり、２つのラインの形成によって装飾物中心ポイントを認識できるとともに、装飾物中心ポイントに対する対称エリアや対称位置を認識できるため、初心者用デザインから上級者用デザインまで多様なフラワーアレンジメントのデザインに対応できる。
【００１０】
本発明の第２の実施の形態は、第１の実施の形態によるフラワーアレンジメント用保持ブロックにおいて、配置面に更に第３のラインを有し、第３のラインによって、円形や多角形などの図形を形成し、図形の中心を、装飾物中心ポイントに一致させるものである。本実施の形態によれば、更に１つのラインの追加によって、装飾物中心ポイントから等しい距離にある対称エリアや対称位置を認識できる。
【００１１】
本発明の第３の実施の形態は、第１又は第２の実施の形態によるフラワーアレンジメント用保持ブロックにおいて、装飾物中心ポイントを、配置面の中心とするものである。本実施の形態によれば、配置面の物理的な中心位置を認識できる。
【００１２】
本発明の第４の実施の形態は、第１から第３のいずれかの実施の形態によるフラワーアレンジメント用保持ブロックにおいて、装飾物中心ポイントを、装飾材の配置によるデザイン中心とするものである。本実施の形態によれば、デザイン中心位置を認識できる。
【００１３】
本発明の第５の実施の形態は、第１から第４のいずれかの実施の形態によるフラワーアレンジメント用保持ブロックにおいて、第１のラインと第２のラインとを直交させるものである。本実施の形態によれば、４等分されたエリアを認識できるため、全体的なデザインバランスを取りやすい。
【００１４】
本発明の第６の実施の形態は、第１の実施の形態によるフラワーアレンジメント用保持ブロックにおいて、第１のライン及び第２のラインを凹凸形状によって形成するものである。本実施の形態によれば、連続する溝、連続する稜線、不連続な溝、不連続な稜線、溝と稜線との繰り返しなどで第１のライン及び第２のラインを形成でき、視覚以外に感触によっても装飾材を挿す位置を判別することができる。
【００１５】
本発明の第７の実施の形態は、第２の実施の形態によるフラワーアレンジメント用保持ブロックにおいて、第１のライン、第２のライン、及び第３のラインを凹凸形状によって形成するものである。本実施の形態によれば、連続する溝、連続する稜線、不連続な溝、不連続な稜線、溝と稜線との繰り返しなどで第１のライン、第２のライン、及び第３のラインを形成でき、視覚以外に感触によっても装飾材を挿す位置を判別することができる。
【００１６】
本発明の第８の実施の形態は、第１の実施の形態によるフラワーアレンジメント用保持ブロックにおいて、第１のライン及び第２のラインを着色によって形成するものである。本実施の形態によれば、視覚によって装飾材を挿す位置を判別することができ、特に凹凸形状が形成しにくい材料や、凹凸形状が崩れる材料を用いる場合に適している。特に、凹凸形状によるラインが識別しにくい高齢者が用いる場合に適している。
【００１７】
本発明の第９の実施の形態は、第２の実施の形態によるフラワーアレンジメント用保持ブロックにおいて、第１のライン、第２のライン、及び第３のラインを着色によって形成するものである。本実施の形態によれば、視覚によって装飾材を挿す位置を判別することができ、特に凹凸形状が形成しにくい材料や、凹凸形状が崩れる材料を用いる場合に適している。
【００１８】
本発明の第１０の実施の形態は、第１の実施の形態によるフラワーアレンジメント用保持ブロックにおいて、配置面の少なくとも一部を覆う被覆材を有し、被覆材によって第１のライン及び第２のラインを形成するものである。本実施の形態によれば、例えば第１のライン及び第２のラインを表示したシート材を被覆材とし、又は紐材を被覆材として用いることで第１のライン及び第２のラインを形成することができる。
【００１９】
本発明の第１１の実施の形態は、第１から第１０のいずれかの実施の形態によるフラワーアレンジメント用保持ブロックにおいて、シリコーン粘土材で形成するものである。本実施の形態によれば、硬化しないため、繰り返しの再利用が可能となる。
【００２０】
本発明の第１２の実施の形態による保持ブロック製作器は、第６又は第７の実施の形態によるフラワーアレンジメント用保持ブロックを作る保持ブロック製作器であって、配置面に当接させるライン形成面に、凹凸形状を形成する凹凸部を有するものである。本実施の形態によれば、凹凸形状によるラインを配置面に容易に形成できる。
【００２１】
本発明の第１３の実施の形態による保持ブロック製作器は、第８又は第９の実施の形態によるフラワーアレンジメント用保持ブロックを作る保持ブロック製作器であって、配置面に当接させるライン形成面に、着色を行えるスタンプ面を有するものである。本実施の形態によれば、着色によるラインを配置面に容易に形成できる。
【００２２】
本発明の第１４の実施の形態による保持ブロック製作器は、第６から第９のいずれかの実施の形態によるフラワーアレンジメント用保持ブロックを作る保持ブロック製作器であって、配置面に当接させるライン形成面に、凹凸形状を形成し又は着色を行えるスリットを有するものである。本実施の形態によれば、凹凸形状によるラインや着色によるラインを配置面に容易に形成できる。
【実施例】
【００２３】
以下本発明の一実施例によるフラワーアレンジメント用保持ブロックについて説明する。
図１は本実施例によるフラワーアレンジメント用保持ブロックを示す斜視図であり、図１（ａ）は円柱形状の保持ブロック、図１（ｂ）は立方体形状の保持ブロックである。
【００２４】
本実施例によるフラワーアレンジメント用保持ブロック１０は、装飾材を配置保持するものであり、装飾材を配置保持する配置面２０に、第１のライン３１と第２のライン３２を有し、第１のライン３１と第２のライン３２とを交叉させることで装飾物中心ポイント４１を形成している。
【００２５】
図１（ａ）に示すフラワーアレンジメント用保持ブロック１１は、配置面２１が円形面である。第１のライン３１と第２のライン３２とはそれぞれ配置面２１の直径長さであり、第１のライン３１と第２のライン３２とは直交させている。
配置面２１には、更に第３のライン３３を有している。第３のライン３３は、円形による図形を形成し、円形の中心は装飾物中心ポイント４１に一致させている。
図１（ａ）に示すように、更に第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
【００２６】
図１（ｂ）に示すフラワーアレンジメント用保持ブロック１２は、配置面２２が四角形面である。第１のライン３１と第２のライン３２は配置面２２の対角線として形成され、それぞれ配置面２２の対角線長さであり、第１のライン３１と第２のライン３２とは直交させている。
配置面２２には、更に第３のライン３３及び第４のライン３４を有している。第３のライン３３及び第４のライン３４は、円形による図形を形成し、円形の中心は装飾物中心ポイント４１に一致させている。
図１（ｂ）に示すように、更に第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
また、更に第４のライン３４を有することで、第４のライン３４が第１のライン３１と交叉する２つの第１ライン交点３１ｃ、３１ｄが形成され、第４のライン３４が第２のライン３２と交叉する２つの第２ライン交点３２ｃ、３２ｄが形成される。
【００２７】
このように、第１のライン３１と第２のライン３２との形成によって装飾物中心ポイント４１を認識できるとともに、装飾物中心ポイント４１に対する対称エリアや対称位置を認識できるため、初心者用デザインから上級者用デザインまで多様なフラワーアレンジメントのデザインに対応できる。
また、第３のライン３３や第４のライン３４を更に追加することで、装飾物中心ポイント４１から等しい距離にある対称エリアや対称位置を認識できる。
なお、図１（ａ）（ｂ）に示すように、装飾物中心ポイント４１を、配置面２０の中心とすることで、配置面２０の物理的な中心位置を認識できる。
また、第１のライン３１と第２のライン３２とを直交させることで、４等分されたエリアを認識できるため、全体的なデザインバランスを取りやすい。
なお、図１（ａ）では、第１のライン３１及び第２のライン３２を配置面２１の直径長さとしたものを示したが、直径長さより短くてもよい。また、図１（ｂ）では、第１のライン３１及び第２のライン３２を配置面２２の対角線長さとしたものを示したが、対角線長さより短くてもよい。
【００２８】
第１のライン３１、第２のライン３２、第３のライン３３、及び第４のライン３４は、必ずしも連続したラインでなく、不連続なラインであってもよく、不連続なラインである場合には、第１のライン３１と第２のライン３２との交叉位置では形式的にはラインが存在しないこともある。第１のライン３１、第２のライン３２、第３のライン３３、及び第４のライン３４は、凹凸形状や着色によって形成する。
凹凸形状によって第１のライン３１、第２のライン３２、第３のライン３３、及び第４のライン３４を形成する場合には、連続する溝、連続する稜線、不連続な溝、不連続な稜線、溝と稜線との繰り返しなどで形成できる。
凹凸形状によって第１のライン３１、第２のライン３２、第３のライン３３、及び第４のライン３４を形成する場合には、視覚以外に、感触によっても装飾材を挿す位置を判別することができる。
着色によって形成する場合には、視覚によって装飾材を挿す位置を判別することができ、特に凹凸形状が形成しにくい材料や、凹凸形状が崩れる材料を用いる場合に適している。
【００２９】
また、第１のライン３１、第２のライン３２、第３のライン３３、及び第４のライン３４は、配置面２０の少なくとも一部を覆う被覆材によって形成することもできる。
また、被覆材には、第１のライン３１、第２のライン３２、第３のライン３３、及び第４のライン３４を表示したシート材を用いることができる。このようなシート材を用いる場合には、配置面２０を全て覆うことが好ましいが、配置面２０の一部を覆うものであってもよい。
また、被覆材には、紐材を用いることができる。紐材を用いる場合には、紐材を配置面２０に配置することで、第１のライン３１、第２のライン３２、第３のライン３３、及び第４のライン３４を形成することができる。紐材には、テープ材を含み、粘着剤を備えたテープ材を用いることができる。
【００３０】
図２は本発明の他の実施例によるフラワーアレンジメント用保持ブロックを示す平面図である。
図２（ａ）に示すフラワーアレンジメント用保持ブロック１３は、配置面２３が円形面である。第１のライン３１と第２のライン３２とはそれぞれ配置面２３の直径長さであり、第１のライン３１と第２のライン３２とは直交させている。装飾物中心ポイント４１は、第１のライン３１と第２のライン３２とを交叉させることで形成している。
配置面２３には、更に第３のライン３３及び第４のライン３４を有している。第３のライン３３及び第４のライン３４は、円形による図形を形成し、円形の中心は装飾物中心ポイント４１に一致させている。
また配置面２３には、更に装飾物中心ポイント４１を通る第５のライン３５及び第６のライン３６を有している。第５のライン３５と第６のライン３６とはそれぞれ配置面２３の直径長さであり、第５のライン３５と第６のライン３６とは直交させている。
第１のライン３１、第２のライン３２、第５のライン３５、及び第６のライン３６によって配置面２３を均等に８分割している。
【００３１】
図２（ａ）に示すように、第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
また、第４のライン３４を有することで、第４のライン３４が第１のライン３１と交叉する２つの第１ライン交点３１ｃ、３１ｄが形成され、第４のライン３４が第２のライン３２と交叉する２つの第２ライン交点３２ｃ、３２ｄが形成される。
また、第３のライン３３と第５のライン３５と第６のライン３６とを有することで、第３のライン３３が第５のライン３５と交叉する２つの第５ライン交点３５ａ、３５ｂが形成され、第３のライン３３が第６のライン３６と交叉する２つの第６ライン交点３６ａ、３６ｂが形成される。
また、第４のライン３４と第５のライン３５と第６のライン３６とを有することで、第４のライン３４が第５のライン３５と交叉する２つの第５ライン交点３５ｃ、３５ｄが形成され、第４のライン３４が第６のライン３６と交叉する２つの第６ライン交点３６ｃ、３６ｄが形成される。
【００３２】
図２（ｂ）に示すフラワーアレンジメント用保持ブロック１４は、配置面２４が円形面である。第１のライン３１と第２のライン３２とはそれぞれ配置面２４の直径長さであり、第１のライン３１と第２のライン３２とは直交させている。装飾物中心ポイント４１は、第１のライン３１と第２のライン３２とを交叉させることで形成している。
配置面２４には、更に第１のライン３１に平行な複数のラインと第２のライン３２に平行な複数のラインを形成することで、これらのラインによって第３のライン３３及び第４のライン３４を有している。第３のライン３３及び第４のライン３４は、四角形による図形を形成し、四角形の中心は装飾物中心ポイント４１に一致させている。なお、図２（ｂ）では、第３のライン３３及び第４のライン３４を破線として示しているが、これは説明のためであり、第１のライン３１に平行な複数のラインと第２のライン３２に平行な複数のラインによって形成されるものである。
図２（ｂ）に示すように、第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
また、第４のライン３４を有することで、第４のライン３４が第１のライン３１と交叉する２つの第１ライン交点３１ｃ、３１ｄが形成され、第４のライン３４が第２のライン３２と交叉する２つの第２ライン交点３２ｃ、３２ｄが形成される。
【００３３】
図２（ｃ）に示すフラワーアレンジメント用保持ブロック１５は、配置面２５が円形面である。第１のライン３１と第２のライン３２とはそれぞれ配置面２５の直径長さであり、第１のライン３１と第２のライン３２とは直交させている。なお、第１のライン３１と第２のライン３２とは不連続なライン、すなわち破線によるラインとしている。装飾物中心ポイント４１は、第１のライン３１と第２のライン３２とを交叉させることで形成している。
配置面２５には、更に第１のライン３１に平行な複数のラインと第２のライン３２に平行な複数のラインを形成することで、これらのラインによって第３のライン３３及び第４のライン３４を有している。第３のライン３３及び第４のライン３４は、四角形による図形を形成し、四角形の中心は装飾物中心ポイント４１に一致させている。なお、第４のライン３４は不連続なライン、すなわち破線によるラインとしている。
図２（ｃ）に示すように、第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
また、第４のライン３４を有することで、第４のライン３４が第１のライン３１と交叉する２つの第１ライン交点３１ｃ、３１ｄが形成され、第４のライン３４が第２のライン３２と交叉する２つの第２ライン交点３２ｃ、３２ｄが形成される。
【００３４】
図３は本発明の更に他の実施例によるフラワーアレンジメント用保持ブロックを示す写真である。
図３（ａ）に示すフラワーアレンジメント用保持ブロック１６は、配置面２６が円形面である。第１のライン３１と第２のライン３２とはそれぞれ配置面２６の直径長さより短く、第１のライン３１と第２のライン３２とは直交させている。装飾物中心ポイント４１は、第１のライン３１と第２のライン３２とを交叉させることで形成している。
配置面２６には、更に第３のライン３３及び第４のライン３４を有している。第３のライン３３及び第４のライン３４は、円形による図形を形成し、円形の中心は装飾物中心ポイント４１に一致させている。
また配置面２６には、更に装飾物中心ポイント４１を通る第５のライン３５及び第６のライン３６を有している。第５のライン３５と第６のライン３６とはそれぞれ配置面２６の直径長さより短く、第５のライン３５と第６のライン３６とは直交させている。
第１のライン３１、第２のライン３２、第５のライン３５、及び第６のライン３６によって配置面２６を均等に８分割している。
【００３５】
図３（ａ）に示すように、第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
また、第４のライン３４を有することで、第４のライン３４が第１のライン３１と交叉する２つの第１ライン交点３１ｃ、３１ｄが形成され、第４のライン３４が第２のライン３２と交叉する２つの第２ライン交点３２ｃ、３２ｄが形成される。
また、第３のライン３３と第５のライン３５と第６のライン３６とを有することで、第３のライン３３が第５のライン３５と交叉する２つの第５ライン交点３５ａ、３５ｂが形成され、第３のライン３３が第６のライン３６と交叉する２つの第６ライン交点３６ａ、３６ｂが形成される。
また、第４のライン３４と第５のライン３５と第６のライン３６とを有することで、第４のライン３４が第５のライン３５と交叉する２つの第５ライン交点３５ｃ、３５ｄが形成され、第４のライン３４が第６のライン３６と交叉する２つの第６ライン交点３６ｃ、３６ｄが形成される。
【００３６】
なお、図３（ａ）に示すフラワーアレンジメント用保持ブロック１６は、前述の説明のように上面だけを配置面２６として用いる他に、側面Ｈの少なくとも一部を上面とともに配置面２６とすることもできる。
側面Ｈを含めて配置面２６とする場合には、第１のライン３１の延長線上に位置する第１のライン３１Ｈ、第２のライン３２の延長線上に位置する第２のライン３２Ｈ、第５のライン３５の延長線上に位置する第５のライン３５Ｈ、及び第６のライン３６の延長線上に位置する第６のライン３６Ｈを、側面Ｈに形成することが好ましい。
また、側面Ｈを含めて配置面２６とする場合には、側面Ｈに第７のライン３７を有していることが好ましい。第７のライン３７は、円形による図形となり、円形の中心は装飾物中心ポイント４１に一致している。
【００３７】
図３（ｂ）に示すフラワーアレンジメント用保持ブロック１７は、配置面２７が円形面である。第１のライン３１と第２のライン３２とはそれぞれ配置面２７の直径長さであり、第１のライン３１と第２のライン３２とは直交させている。装飾物中心ポイント４１は、第１のライン３１と第２のライン３２とを交叉させることで形成している。
配置面２７には、更に第１のライン３１に平行な複数のラインと第２のライン３２に平行な複数のラインを形成することで、これらのラインによって第３のライン３３及び第４のライン３４を有している。第３のライン３３及び第４のライン３４は、四角形による図形を形成し、四角形の中心は装飾物中心ポイント４１に一致させている。
図３（ｂ）に示すように、第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
また、第４のライン３４を有することで、第４のライン３４が第１のライン３１と交叉する２つの第１ライン交点３１ｃ、３１ｄが形成され、第４のライン３４が第２のライン３２と交叉する２つの第２ライン交点３２ｃ、３２ｄが形成される。
【００３８】
なお、図３（ｂ）に示すフラワーアレンジメント用保持ブロック１７は、前述の説明のように上面だけを配置面２７として用いる他に、側面Ｈの少なくとも一部を上面とともに配置面２７とすることもできる。
側面Ｈを含めて配置面２７とする場合には、第１のライン３１の延長線上に位置する第１のライン３１Ｈ、及び第２のライン３２の延長線上に位置する第２のライン３２Ｈを、側面Ｈに形成することが好ましい。
また、側面Ｈを含めて配置面２７とする場合には、側面Ｈに第７のライン３７を有していることが好ましい。第７のライン３７は、円形による図形となり、円形の中心は装飾物中心ポイント４１に一致している。
【００３９】
図３（ｃ）に示すフラワーアレンジメント用保持ブロック１８は、配置面２８が円形面である。第１のライン３１は配置面２８の直径より短く、第２のライン３２は一部に曲線を有して配置面２８の直径より長く、第１のライン３１と第２のライン３２とを直交させている。装飾物中心ポイント４１は、第１のライン３１と第２のライン３２とを交叉させることで形成している。
配置面２８には、更に第３のライン３３を有している。第３のライン３３は、平面と傾斜面との境界に形成される稜線により、円形による図形を形成し、円形の中心は装飾物中心ポイント４１に一致させている。
【００４０】
図３（ｃ）に示すように、第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
なお、図３（ａ）（ｂ）では、同一形状の配置面２６、２７が底面側にも形成されており、底面側に形成された配置面２６、２７にも、第１のライン３１から第４のライン３４を有することで、上面側と底面側との両面を用いてアレンジメントを行うことができる。
【００４１】
配置面２０は、図１に示す配置面２１、２２のように平面の他、図３に示す配置面２６、２７、２８のように曲面を一部に有し、又は球面の一部のように曲面で構成してもよい。
また、本実施例では装飾物中心ポイント４１は配置面２０の中心とするものを示したが、装飾物中心ポイント４１を装飾材の配置によるデザイン中心とすることで、デザイン中心位置を認識できる。
また、第３のライン３３は、本実施例では円形と四角形を示したが、楕円形や多角形、その他星形であっても、図形の中心を装飾物中心ポイント４１に一致させることで、装飾物中心ポイント４１から等しい距離にある対称エリアや対称位置を認識できる。
また、第１のライン３１、第２のライン３２、第５のライン３５、及び第６のライン３６は、直線のみに限らず、曲線のみや曲線と直線を組み合わせたものでもよい。
フラワーアレンジメント用保持ブロック１０は、例えば、フェノールフォーム、ポリウレタンフォーム、ポリスチレンフォーム、ポリエチレンフォーム、ポリプロピレンフォーム、シリコーンフォーム、ユリアフォーム、ポリイミドフォーム、又はメラミンフォームを用いることができる。また合成樹脂材の他に粘土材を用いることもできる。粘土材としては例えばシリコーン粘土材を用いることができる。配置面２０に配置保持する装飾材が生花である場合には、フェノールフォームのような吸水性を有する樹脂発泡体が好ましいが、造花、プリザーブドフラワー、ピック、リボンなどの装飾品を用いる場合には必ずしも吸水性を備えていなくてもよい。フラワーアレンジメント用保持ブロック１０としてシリコーン粘土材を用いる場合には、硬化しないため、繰り返しの再利用が可能となる。
【００４２】
図４は本発明の更に他の実施例によるフラワーアレンジメント用保持ブロックを示す平面図である。
図４に示すフラワーアレンジメント用保持ブロック１９は、配置面２９が円形面である。第１のライン３１は配置面２９の直径長さ、第２のライン３２は配置面２６の直径長さより短く、第１のライン３１と第２のライン３２とは直交させている。装飾物中心ポイント４１は、第１のライン３１と第２のライン３２とを交叉させることで形成している。本実施例では装飾物中心ポイント４１は、配置面２０の中心ではないが、デザイン中心としており、デザイン中心位置を認識できる。
配置面２９には、更に第３のライン３３を有している。第３のライン３３は、楕円形による図形を形成している。
図４に示すように、更に第３のライン３３を有することで、第３のライン３３が第１のライン３１と交叉する２つの第１ライン交点３１ａ、３１ｂが形成され、第３のライン３３が第２のライン３２と交叉する２つの第２ライン交点３２ａ、３２ｂが形成される。
【００４３】
図５は、本発明の一実施例による保持ブロック製作器を示す構成図である。
図５に示す保持ブロック１０Ｐは、配置面２０Ｐに未だラインが形成されていないもので、保持ブロック製作器５０を用いて、第１のライン３１、第２のライン３２、第３のライン３３、及び第４のライン３４を形成する。
保持ブロック製作器５０は、配置面２０Ｐに当接させるライン形成面５１に凹凸部５２を有している。なお、図５では凹凸部５２は保持ブロック製作器５０の内面だけに形成しているため、図示において破線で示しているが、内面に形成する凹凸部５２によって外面にも凹凸部が現れることもある。
保持ブロック製作器５０を保持ブロック１０Ｐに押しつけることで、配置面２０Ｐには凹凸部５２によって凹凸形状（第１のライン３１、第２のライン３２、第３のライン３３、及び第４のライン３４）が形成される。
このような保持ブロック製作器５０を用いることで凹凸形状によるラインを配置面２０Ｐに容易に形成でき、図１（ｂ）に示すように、フラワーアレンジメント用保持ブロック１２には、第１のライン３１、第２のライン３２、第３のライン３３、及び第４のライン３４を形成することができる。
なお、凹凸部５２に代えてライン形成面５１に着色を行えるスタンプ面を有することで、着色によるラインを配置面２０Ｐに容易に形成できる。
【００４４】
図６は、本発明の他の実施例による保持ブロック製作器を示す構成図である。図５と同一構成には同一符号を付して説明を省略する。
保持ブロック製作器５０は、配置面２０Ｐに当接させるライン形成面５１に不連続なスリット５３を有している。
保持ブロック製作器５０を保持ブロック１０Ｐに当接させ、スリット５３に付加物を入れることで凸形状が、スリット５３に沿って刃物などで切り込みを入れることで凹形状が、スリット５３に沿って鉛筆などで線を描いたり塗料を塗ることで着色が行える。
このような保持ブロック製作器５０を用いることで凹凸形状や着色によるラインを配置面２０Ｐに容易に形成でき、図１（ｂ）に示すように、フラワーアレンジメント用保持ブロック１２には、第１のライン３１、第２のライン３２、第３のライン３３、及び第４のライン３４を形成することができる。
【００４５】
上記実施例では、凹凸形状によってラインを形成するもの、着色によってラインを形成するもの、被覆材によってラインを形成するものを個別に説明したが、凹凸形状によるライン、着色によるライン、及び被覆材によるラインを併用してもよい。
【００４６】
図７は図３（ａ）に示すフラワーアレンジメント用保持ブロックを用いた場合のフラワーアレンジメントの工程を示す図である。
図７（ａ）はフラワーアレンジメント用保持ブロック１６を示している。
図７（ｂ）は、フラワーアレンジメント用保持ブロック１６の装飾物中心ポイント４１に花材を挿した状態を示している。
図７（ｃ）は、フラワーアレンジメント用保持ブロック１６の第１ライン交点３１ａ、３１ｂ、及び第２ライン交点３２ａ、３２ｂに花材を挿した状態を示している。
図７（ｄ）は、フラワーアレンジメント用保持ブロック１６の第１ライン交点３１ｃ、３１ｄ、第２ライン交点３２ｃ、３２ｄ、第５ライン交点３５ａ、３５ｂ、及び第６ライン交点３６ａ、３６ｂに花材を挿した状態を示している。
図７（ｅ）は、フラワーアレンジメント用保持ブロック１６の第５ライン交点３５ｃ、３５ｄ、及び第６ライン交点３６ｃ、３６ｄに花材を挿した状態を示している。
【産業上の利用可能性】
【００４７】
本実施例によるフラワーアレンジメント用保持ブロックは、フラワーアレンジメントのフラワーデザイナーや講師の他、趣味や教育現場での「花育」、高齢者施設や医療・福祉施設での脳トレーニングとして活用することができる。
【符号の説明】
【００４８】
１０、１１、１２、１３、１４、１５、１６、１７、１８  フラワーアレンジメント用保持ブロック
１０Ｐ  保持ブロック
２０、２０Ｐ、２１、２２、２３、２４、２５、２６、２７、２８  配置面
３１、３１Ｈ  第１のライン
３２、３２Ｈ  第２のライン
３１ａ、３１ｂ、３１ｃ、３１ｄ  第１ライン交点
３２ａ、３２ｂ、３２ｃ、３２ｄ  第２ライン交点
３３  第３のライン
３４  第４のライン
３５、３５Ｈ  第５のライン
３５ａ、３５ｂ、３５ｃ、３５ｄ  第５ライン交点
３６、３６Ｈ  第６のライン
３６ａ、３６ｂ、３６ｃ、３６ｄ  第６ライン交点
３７  第７のライン
４１  装飾物中心ポイント
５０  保持ブロック製作器
５１  ライン形成面
５２  凹凸部
５３  スリット
Ｈ  側面
【図１】
2019193737.tif 000003
【図２】
2019193737.tif 000004
【図３】
2019193737.tif 000005
【図４】
2019193737.tif 000006
【図５】
2019193737.tif 000007
【図６】
2019193737.tif 000008
【図７】
2019193737.tif 000009